(57)【要約】【課題】シャッターを付勢する圧縮コイルばねが正しく伸縮すると共に、静電対策やＥＭＩ対策が施された簡易な構成のリセプタクルを提供する。【解決手段】ハウジング１はヘッダ部１ａをフレーム部１ｂから突出する。複数のコンタクト２はヘッダ部１ａに係止されて一対に並列配置される。シェル３は、相手側プラグが挿抜される第１開口３ａ、及びフレーム部１ｂが内装される第２開口３ｂを有する。シャッター４はシェル３内を移動する。圧縮コイルばね５ａ・５ｂは、シャッター４を第１開口３ａ側に付勢する。シェル３は、第１開口３ａ側から第２開口３ｂ側に至る案内片３５・３６を有する。シャッター４は案内片３５・３６に摺動可能な穴４ａ・４ｂが設けられ、案内片３５・３６は一対の穴４ａ・４ｂ及び圧縮コイルばね５ａ・５ｂの内径を案内する。【選択図】        図１
2006331911.tif 000002
【特許請求の範囲】
【請求項１】
相手側プラグが嵌合される略直方体状のヘッダ部をフレーム部から突出するハウジングと、
このヘッダ部に係止されて相反する向きに一対に並列配置される複数のコンタクトと、
前記ヘッダ部を囲むようにして相手側プラグが挿抜される第１開口、及びこの第１開口に対向して前記フレーム部が内装される第２開口を有する略角筒状のシェルと、
このシェル内を前記相手側プラグが挿抜される方向に移動可能なシャッターと、
このシャッターの両翼に配置されて当該シャッターを前記第１開口側に付勢する一対の圧縮コイルばねと、を備えるリセプタクルであって、
前記シェルは、前記第１開口の両翼に延出して略直角に屈曲し、当該第１開口側から前記第２開口側に至る一対の案内片を有し、
前記シャッターは、前記一対の案内片に摺動可能な一対の穴が設けられ、
前記一対の案内片は、前記シャッターの一対の穴及び前記圧縮コイルばねの内径を案内するリセプタクル。
【請求項２】
前記シェルは、前記第１開口側に前記シャッターに当接される一つ以上の第１折り曲げ片を有し、この第１折り曲げ片は、前記相手側プラグが特定されるキーとなっている請求項１記載のリセプタクル。
【請求項３】
前記シェルは、前記第２開口側に対向する一対の第２折り曲げ片を有し、この一対の第２折り曲げ片は、前記一対の案内片の先端部を係止する請求項１又は２記載のリセプタクル。
【請求項４】
プリント基板に実装される一対の係止片を前記シェルの両翼に設けている請求項１から３のいずれかに記載のリセプタクル。
【請求項５】
前記プリント基板の部品実装面と平行する方向から前記相手側プラグが結合される水平取付形のコネクタである請求項４記載のリセプタクル。
【発明の詳細な説明】
【技術分野】
【０００１】
本発明は、電気接続用のリセプタクルに関する。特に、相手側コネクタ（プラグ）が挿抜される開口をシャッターで覆い、静電対策が施されたリセプタクルに関する。
【背景技術】
【０００２】
近年の電子機器、例えば、ＤＳＣ（Ｄｉｇｉｔａｌ  Ｓｔｉｌｌ  Ｃａｍｅｒａ）やカメラ付き携帯電話機は、ディスクトップパソコンに画像データを取り込めるようになっている。このような小型の電子機器には、画像データを送信するためのインターフェースコネクタ（又はＩ／Ｏコネクタ）となるリセプタクルが実装されている。そして、このリセプタクルをもつ電子機器は、多くの場合、クレードル（Ｃｒａｄｌｅ）という接続台（ドッキング・ステーションとも呼ばれる）を利用している。
【０００３】
クレードルとディスクトップパソコンは、例えばＵＳＢケーブルで接続され、電子機器の外面にはリセプタクルが実装され、クレードルにはプラグが実装され、電子機器側のリセプタクルとクレードル側のプラグが接続されることで、電子機器とディスクトップパソコン間で速く確実にデータを転送できる。クレードルの最も単純なものには携帯電話機用の充電器を挙げることができる。近年では、このクレードルには、ＤＣ電源端子、ＡＶ出力端子、及びＵＳＢコネクタが実装され、前記リセプタクル及びプラグはこれらの端子を全て接続するいわゆるマルチコネクタとなっている。
【０００４】
電子機器側のコネクタ（リセプタクル）とクレードル側のコネクタ（プラグ）が接続されていないときは、電子機器側のリセプタクルはコンタクトが剥き出しとなるので、リセプタクルの開口部を金属板のシャッターで覆い、例えば、人体の接触による電子機器内部の静電破壊を防止している。又、リセプタクルハウジングを金属板のシェルでシールドすると共に、このシェルを前記金属板のシャッターと導通させることにより、ＥＭＩ（Ｅｌｅｃｔｒｏ  Ｍａｇｎｅｔｉｃ  Ｉｎｔｅｒｆｅｒｅｎｃｅ）対策を実施している。
【０００５】
前述のような、静電破壊を防止しているリセプタクルとして、シャッター付きコネクタの小型、薄型化を図るとともに、塵埃が入りにくくするリセプタクルが発明されている（例えば、特許文献１参照）。
【０００６】
特許文献１によるシャッター付きコネクタは、ハウジングに嵌合凹部と一対の軸受け凹部が形成され、この嵌合凹部及び一対の軸受け凹部内で嵌合方向に摺動可能なシャッターを、合成樹脂製の第１シャッターと金属製の第２シャッターで構成している。そして、第２シャッターの板面輪郭を第１シャッターの板面輪郭内に収まる形状として、第１シャッターに係止させている。第１シャッターの一対の係合軸を一対の軸受け凹部内に収容した一対のコイルスプリングに係合して、第１及び第２シャッターを前面側へ付勢している。コネクタの未嵌合時に第１及び第２シャッターで嵌合凹部の開口部を覆って静電破壊を防止している。
【特許文献１】特開２００３−３６９２１号公報
【発明の開示】
【発明が解決しようとする課題】
【０００７】
図１０は、特許文献１によるハウジングを簡略化して図示したシャッター付きコネクタの斜視分解組立図である。本願の図１０は、特許文献１の図３に対応している。図１０において、従来のコネクタ１００は、絶縁性のハウジング６と、絶縁性の第１シャッター７１と、金属薄板で形成された第２シャッター７２と、を備えている。又、コネクタ１００は、一対の圧縮コイルばね８ａ・８ｂと、Ｃ字状に形成された金属製の一対のフレーム金具８ｃ・８ｄと、金属薄板で形成されたシェル９と、を備えている。
【０００８】
図１０において、ハウジング６には、前面側に開口した嵌合凹部６１と、嵌合凹部６１の両側に連通して、前面側に開口した一対の軸受け凹部６１ａ・６１ｂと、が形成されている。嵌合凹部６１は、相手側プラグの嵌合凸部が嵌合可能な形状に形成されている。一対の圧縮コイルばね８ａ・８ｂは、一対の軸受け凹部６１ａ・６１ｂ内にそれぞれ収容される。又、嵌合凹部６１には、図示されない複数のコンタクトが臨設されている。
【０００９】
第１シャッター７１は、細長薄板状に形成されており、嵌合凹部６１及び一対の軸受け凹部６１ａ・６１ｂ内を摺動可能としている。第１シャッター７１の両翼には、円柱状に突設された一対の係合軸７１ａ・７１ｂと、一対の係合軸７１ａ・７１ｂの中心軸に沿って貫通される一対の係止孔７１ｃ・７１ｄが形成されている。一対の圧縮コイルばね８ａ・８ｂは、その前面側端部が一対の係合軸７１ａ・７１ｂの外周部に係合している。
【００１０】
第２シャッター７２は、その板面輪郭が第１シャッター７１の板面輪郭より若干小さい形状となっており、第２シャッター７２の両翼には、一対の係止片７２ｃ・７２ｄが突設されている。一対の係止片７２ｃ・７２ｄが一対の係止孔７１ｃ・７１ｄに圧入されて、第１シャッター７１と第２シャッター７２が一体となる。
【００１１】
一対のフレーム金具８ｃ・８ｄは、ハウジング６の両翼に圧入係止されることにより、一対の圧縮コイルばね８ａ・８ｂを圧縮状態でハウジング６内に収容すると共に、第２シャッター７２に弾性接触されて電気的な接続を得ている。シェル９は、ハウジング６の前面及び後面を除いた外周囲を覆う四角環状体９１となっており、四角環状体９１の両翼が折曲げられた一対の覆い片９１ａ・９１ｂと、四角環状体６１の底板から上側へ折曲げられた覆い片９１ｃが形成されている。一対の覆い片９１ａ・９１ｂ及び覆い片９１ｃは、相手側プラグの嵌合凸部が挿入可能な開口を形成している。シェル９は、ハウジング６を覆うことにより、コネクタ１００をシールドしている。
【００１２】
図１０に示されたシャッター付きコネクタは、構成品も多く、構成及び構造を工夫することによって、構成を簡易化することが考えられてもよい。静電対策やＥＭＩ対策が施された簡易な構成のシャッター付きコネクタ（リセプタクル）が望まれる。
【００１３】
又、図１０に示されたシャッター付きコネクタにおいて、相手側プラグの挿入深さが大きくなると、すなわち、圧縮コイルばねの非圧縮時の全長が大きくなると、圧縮コイルばねが圧縮されるに従い、圧縮コイルばねの軸線から逸脱して圧縮コイルばねが変形圧縮されることが懸念される。コネクタの実装高さが低背化すると、すなわち、圧縮コイルばねの外径が小さくなると、前記圧縮コイルばねの変形圧縮はより顕著になると考えられる。例えば、シャッターが往復移動しないことも考えられる。低背化されたシャッター付きコネクタにおいて、圧縮コイルばねが正しく伸縮する構造が求められる。そして、これらのことが本発明の課題といってよい。
【００１４】
本発明は、このような問題に鑑み、静電対策やＥＭＩ対策が施されたシャッター付きリセプタクルであって、シャッターを付勢する圧縮コイルばねが正しく伸縮すると共に、簡易な構成のリセプタクルを提供することを目的とする。
【課題を解決するための手段】
【００１５】
発明者は、上記目的を満たすため、ハウジングをシールドするシェルの一部が圧縮コイルばねの内径を案内する構造とし、以下のような新たなシャッター付きのリセプタクルを発明した。
【００１６】
（１）  相手側プラグが嵌合される略直方体状のヘッダ部をフレーム部から突出するハウジングと、このヘッダ部に係止されて相反する向きに一対に並列配置される複数のコンタクトと、前記ヘッダ部を囲むようにして相手側プラグが挿抜される第１開口、及びこの第１開口に対向して前記フレーム部が内装される第２開口を有する略角筒状のシェルと、このシェル内を前記相手側プラグが挿抜される方向に移動可能なシャッターと、このシャッターの両翼に配置されて当該シャッターを前記第１開口側に付勢する一対の圧縮コイルばねと、を備えるリセプタクルであって、前記シェルは、前記第１開口の両翼に延出して略直角に屈曲し、当該第１開口側から前記第２開口側に至る一対の案内片を有し、前記シャッターは、前記一対の案内片に摺動可能な一対の穴が設けられ、前記一対の案内片は、前記シャッターの一対の穴及び前記圧縮コイルばねの内径を案内するリセプタクル。
【００１７】
（１）の発明によるリセプタクルは、相手側プラグが嵌合される略直方体状のヘッダ部をフレーム部から突出するハウジングを備えている。又、ヘッダ部に係止されて相反する向きに一対に並列配置される複数のコンタクトを備えている。更に、ヘッダ部を囲むようにして相手側プラグが挿抜される第１開口、及びこの第１開口に対向してフレーム部が内装される第２開口を有する略角筒状のシェルを備えている。
【００１８】
一般に、リセプタクルとは、パネルに取り付けられる固定側のコネクタをいうと定義され、シェルタイプの多極コネクタにおいては、通常、おすコンタクトが挿入されているとされている。例えば、おすコンタクトは、めすコンタクトの中に入り、その外面で電気的接続をするコンタクトと定義されており、ピン、ポスト、タブなどのタイプがある。しかし、おすコンタクトが挿入されているコネクタであるから、リセプタクルとされるわけではなく、例えば、リセプタクルにめすコンタクトが挿入されてもよく、雌雄同形のコンタクトが挿入されてもよい。そして、リセプタクルはプラグと接続する。ここで、接続するとは機械的及び電気的に接続することであってよい。
【００１９】
本発明によるリセプタクルは、例えば、ＤＳＣ（いわゆる、ディジタルカメラ）のフレームに取り付けられる固定側のコネクタであってよい。本発明によるリセプタクルは、シェルタイプの多極コネクタであってよく、複数のコンタクトを備えている。例えば、相手側プラグは、クレードルに実装されているコネクタであってよく、相手側プラグは、ケーブルの端末に取り付けられるコネクタであってもよい。
【００２０】
本発明によるリセプタクルは、プリント基板に実装されるプリント基板用のコネクタであってよく、後述するように、プリント基板の部品実装面と平行する方向から相手側プラグが結合される水平取付形のコネクタ、いわゆるサイドタイプのコネクタであってよく、プリント基板の部品実装面と直交する方向から相手側プラグが結合される垂直取付形のコネクタ、いわゆるトップタイプのコネクタであってよく、例えば、電子機器内のプリント基板の配置によってサイドタイプ又はトップタイプのいずれかが選択されてよい。
【００２１】
ハウジングは絶縁性を有してよく、非導電性の材料からなるハウジングのことであってよく、例えば、エンジニアリングプラスチックを成型して、相手側プラグが嵌合される略直方体状のヘッダ部をフレーム部から突出する、所望の形状の絶縁性ハウジングを得ることができる。
【００２２】
コンタクトは、相手側プラグに備わるコンタクトと電気的に接続するために導電性を有しており、導電性を有する金属からなることが好ましい。例えば、コンタクトは、銅合金などの電気抵抗値の低い金属板で形成される。例えば、本発明によるコンタクトは銅合金板からなる板状コンタクトであってよい。
【００２３】
例えば、略直方体状のヘッダ部において相反する向きに形成される一対の側面には、ヘッダ部の基端から先端部近傍に至る複数の縦長の溝が設けられる。そして、この複数の縦長の溝はフレーム部に貫通している。そして、コンタクトがフレーム部側からこの溝に圧入されてヘッダ部に係止される。このように、複数のコンタクトがハウジングに係止されて相反する向きに一対に並列配置されるコネクタは、デュアルインライン（ｄｕａｌ  ｉｎ−ｌｉｎｅ）形のコネクタと呼ばれている。デュアルインライン形のコネクタはコンタクトが２列になっている。
【００２４】
複数のコンタクトは、ヘッダ部に形成される溝に僅かに陥没して係止されており、後述する金属板からなるシャッターがこのヘッダ部を移動してもコンタクト間を短絡しないようになっている。
【００２５】
例えば、フレーム部から延出するコンタクトのリードが直角に折り曲げられて、このリードの先端部がプリント基板にはんだ接合されることにより、このリセプタクルをサイドタイプのコネクタとすることができる。フレーム部から延出するコンタクトのリードの先端部がプリント基板にはんだ接合されることにより、このリセプタクルをトップタイプのコネクタとすることができる。
【００２６】
例えば、ヘッダ部の一方の側面に係止される複数のコンタクトのリード先端部のピッチと、ヘッダ部の他方の側面に係止される複数のコンタクトのリード先端部のピッチを半ピッチずらすことにより、前記複数のリード先端部はスタッガード（Ｓｔａｇｇｅｒｅｄ）状に配置される。そして、このリセプタクルのプリント基板への実装面積を縮小することを可能としている。
【００２７】
シェルは、導電性を有しており、導電性を有する金属からなることが好ましい。例えば、シェルは、銅合金などの電気抵抗値の低い金属板で形成される。例えば、銅合金板は加工性もよく、銅合金板を折り曲げ加工又は打ち抜き加工して、第１開口及び第２開口を有する所望の略角筒状のシェルを得ることができる。
【００２８】
そして、このシェルがリセプタクルの外殻を構成することにより、リセプタクルがシールドされる。本発明のリセプタクルは、外部から内部導体（コンタクト）へ、そして、内部導体（コンタクト）からの電磁障害の放射を防ぐように設計されたコネクタであってよい。後述するように、シェルの両翼に設けている一対の係止片をプリント基板のグランドパターンに接地することにより、電磁障害の防止効果がより高まる。
【００２９】
例えば、シェルの一方の面に一対の係止穴（インデント）を設け、フレーム部の一方の面に一対の係止突起（ディテント）を設け、一対の係止穴と一対の係止突起が嵌合することにより、シェルとハウジングが互いに決められた位置に確実に保持されるようにしてもよい。シェルの一方の面には、相手側プラグに設けられる一対ロックアームが嵌合して係止される一対の係止穴が設けられてもよい。シェルの一方の面に対向する他方の面には、このシェルがプリント基板の実装面に全面的に接触しないように、複数のボスを設けてもよい。このようにボスを設けることにより、シェルの他方の面に対向するプリント基板の実装面にパターンを形成することができる。
【００３０】
例えば、シェルとハウジングが組立られた状態において、ヘッダ部の先端面は第１開口面と面一となり、ヘッダ部の先端面と対向するフレーム部の後面は、フレーム部の一部を除き、第２開口面と面一となってよい。フレーム部の後面及びシェルの第２開口側には、複数のコンタクトのリード部が延出されて露出される切り欠き溝が設けられてもよい。
【００３１】
そして、（１）の発明によるリセプタクルは、シェル内を相手側プラグが挿抜される方向に移動可能なシャッターを備えている。又、シャッターの両翼に配置されて、シャッターを第１開口側に付勢する一対の圧縮コイルばねを備えている。
【００３２】
シャッターは、導電性を有しており、導電性を有する金属からなることが好ましい。例えば、シャッターは、シェルと同じく銅合金などの電気抵抗値の低い金属板で形成されることが好ましいが、銅合金板に限定されるものではない。なお、シェルも銅合金板に限定されるものではない。
【００３３】
例えば、シャッターは平板状に形成されて、その外形は、シェルの内壁の輪郭より僅かに小さい矩形の輪郭を形成している。このシャッターは、シャッターの両翼に配置されている一対の圧縮コイルばねに付勢されて、第１開口をシェルの内側から閉塞している。そして、人体の接触による電子機器内部の静電破壊を防止している。又、リセプタクル内部に塵埃が侵入することを防止している。
【００３４】
例えば、シャッターは、後述する第１開口の両翼に延出する一対の案内片、又は後述する一つ以上の第１折り曲げ片によって、第１開口からの飛び出しが阻止される。又、シャッターは、これらの案内片又は第１折り曲げ片と接触されることにより、シャッターとシェルが導通され、第１開口及び第１開口に隣接する４面がシールドされることにより、電磁障害の防止効果がより高まることになる。
【００３５】
又、（１）の発明によるリセプタクルは、シェルは、第１開口の両翼に延出して略直角に屈曲し、第１開口側から第２開口側に至る一対の案内片を有している。シャッターは、一対の案内片に摺動可能な一対の穴が設けられている。そして、一対の案内片は、シャッターの一対の穴及び圧縮コイルばねの内径を案内する。
【００３６】
例えば、シェルの一方の面は面積の大きい第１側面でよく、第１側面に対向するシェルの他方の面は、第１側面と略同じ面積を有する第２側面でよい。この第２側面は例えば、プリント基板の実装面に対向配置される。そして、第１側面及び第２側面に隣接して面積の小さい第３及び第４側面が形成される。シェルは、所定の形状に展開された金属板が折り曲げ加工されて、第１から第４側面で囲われた形状になっている。そして、第１開口及び第２開口は、長方形に開口される。
【００３７】
ここで、一対の案内片は第１開口の両翼に延出して略直角に屈曲しているとは、例えば、シェルを形づくる展開された金属板において、予め第３及び第４側面にそれぞれＴ字状の折り曲げ片が形成されており、この一対のＴ字状の折り曲げ片が直角に折り曲げられて、第１開口において互いに対向していることであってよい。一対の折り曲げ片は、第１開口面と面一になっている。
【００３８】
又、一対の案内片は第１開口側から第２開口側に至るとは、例えば、前記Ｔ字状の折り曲げ片において長い方の張り出し片が直角に折り曲げられて、シェル内を第１開口側から第２開口側に至るように配置されることであってよい。この一対の案内片は、シェル内において互いに平行に配置されている。
【００３９】
一対の案内片に摺動可能な一対の穴は、例えば、長方形に形成される。又、シャッターの中央部には、ヘッダ部が出入り可能な例えば、矩形の穴が設けられる。例えば、案内片の断面形状は長方形でよく、この案内片の外形は圧縮コイルばねの内径より僅かに小さく形成される。そして、一対の案内片はその外形で圧縮コイルばねの内径を案内する。
【００４０】
このように構成されたリセプタクルに相手側プラグを挿入すると、シャッターは一対の案内片に案内されて第２開口側に平行移動する。一方、一対の圧縮コイルばねは、圧縮されるが、その外形で圧縮コイルばねの内径を案内しているので、従来のように圧縮コイルばねが変形圧縮されることが防止される。本発明は、低背化されたシャッター付きリセプタクルにおいて、圧縮コイルばねが正しく伸縮する構造を実現している。
【００４１】
一対の圧縮コイルばねは、もちろん、導電性を有する金属体であり、一対の案内片に常時、接触することにより、つまりシェルに常時導通されることにより、従来のように圧縮コイルばねが絶縁されて静電気が帯電することがなくなるという効果もある。
【００４２】
本発明によるリセプタクルは、従来と比較して構成を簡易化している。例えば、特許文献１によるリセプタクルは、シャッターを導電体のシャッターと絶縁体のシャッターで構成しているのに対し、本発明によるリセプタクルは、シャッターを導電体のシャッターのみで構成している。又、本発明によるリセプタクルは、特許文献１によるリセプタクルで使用される一対のフレーム金具を不要としている。本発明によるリセプタクルは、一対の案内片などをシェルで一体に成形加工することにより、構成を簡易化している。
【００４３】
（２）  前記シェルは、前記第１開口側に前記シャッターに当接される一つ以上の第１折り曲げ片を有し、この第１折り曲げ片は、前記相手側プラグが特定されるキーとなっている（１）記載のリセプタクル。
【００４４】
例えば、第１折り曲げ片の個数及び前記第１開口に突出される位置を変えることにより、特定の相手側プラグ以外の相手側プラグが誤挿入されることを防止できる。又、この一つ以上の第１折り曲げ片は、一方の決まった向きに相手側プラグの挿入を許す極性キーであってもよい。
【００４５】
（３）  前記シェルは、前記第２開口側に対向する一対の第２折り曲げ片を有し、この一対の第２折り曲げ片は、前記一対の案内片の先端部を係止する（１）又は（２）記載のリセプタクル。
【００４６】
例えば、予め、一対の第２折り曲げ片は第１側面から延出しており、シャッターと、一対の圧縮コイルばね、及びコンタクト付きハウジングがシェルに組み込まれた後に、一対の第２折り曲げ片が折り曲げられて、一対の案内片の先端部に係止される。例えば、一対の第２折り曲げ片の先端部には係止穴が形成され、この係止穴に案内片の先端部が嵌合して係止される。
【００４７】
一般に、圧縮コイルばねの組み込み作業は自動化が困難とされ、前述のように手作業で圧縮コイルばねが組み込み込まれるにあたり、組立作業を効率よくしている。又、この一対の第２折り曲げ片は、一対の案内片を両端支持している機能を有している。そして、一対の案内片の撓みを防止している。
【００４８】
（４）  プリント基板に実装される一対の係止片を前記シェルの両翼に設けている（１）から（３）のいずれかに記載のリセプタクル。
【００４９】
この一対の係止片は、プリント基板にはんだ接合されてよく、プリント基板に形成されるめっき付きスルーホールにプレスイン接続される無はんだ接続であってもよい。
【００５０】
（５）  前記プリント基板の部品実装面と平行する方向から前記相手側プラグが結合される水平取付形のコネクタである（４）記載のリセプタクル。
【００５１】
本発明によるリセプタクルは、ときに、プリント基板の部品実装面と直交する方向から相手側プラグが結合される垂直取付形のコネクタであってもよい。
【発明の効果】
【００５２】
本発明によるリセプタクルは、ハウジングと、複数のコンタクトと、シェルと、シャッターと、一対の圧縮コイルばねと、から構成され、これらの構成品及び構造が工夫されるることにより、従来に比較して構成が簡易化されている。又、シャッターは一対の案内片に案内されて移動するので、圧縮コイルばねが正しく伸縮する構造を実現している。
【発明を実施するための最良の形態】
【００５３】
以下、図面を参照して本発明を実施するための最良の形態を説明する。
【００５４】
図１は、本発明によるリセプタクルの一実施形態を示す斜視分解組立図である。図２は、前記実施形態によるリセプタクルの斜視外観図である。図３は、前記実施形態によるリセプタクルの斜視外観図である。図３は、図２と異なる方向からリセプタクルを観ている。図４は、前記実施形態によるリセプタクルの内部構成図である。
【００５５】
図５は、前記実施形態によるリセプタクルの正面図である。図６は、前記実施形態によるリセプタクルの底面図である。図７は、図５のＹ−Ｙ矢視断面図である。図８は、図５のＺ−Ｚ矢視断面図である。図９は、前記実施形態によるリセプタクルの斜視外観図である。図９は、図３と異なる方向からリセプタクルを観ている。
【００５６】
最初に、本発明によるリセプタクルの構成を説明する。図１において、リセプタクル１０は、相手側プラグ（図示せず）が嵌合される略直方体状のヘッダ部１ａをフレーム部１ｂから突出するハウジング１を備えている。リセプタクル１０は、ヘッダ部１ａに係止されて相反する向きに一対に並列配置される複数のコンタクト２を備えている。リセプタクル１０は、ヘッダ部１ａを囲むようにして相手側プラグが挿抜される第１開口３ａ、及び第１開口３ａに対向してフレーム部１ｂが内装される第２開口３ｂを有する略角筒状のシェル３を備えている。
【００５７】
図１において、ハウジング１は絶縁性を有しており、非導電性の材料からなっている。例えば、エンジニアリングプラスチックを成型して、相手側プラグが嵌合される略直方体状のヘッダ部１ａをフレーム部１ｂから突出する、所望の形状の絶縁性ハウジング１を得ることができる。コンタクト２は、相手側プラグに備わるコンタクトと電気的に接続するために導電性を有しており、導電性を有する金属からなることが好ましい。例えば、コンタクト２は、銅合金などの電気抵抗値の低い金属板で形成される。コンタクト２は銅合金板からなる板状コンタクトとなっている。
【００５８】
図７において、ヘッダ部１ａにおいて相反する向きに形成される一対の側面１１・１２には、ヘッダ部１ａの基端から先端部近傍に至る複数の縦長の溝が設けられる（図１参照）。そして、この複数の縦長の溝はフレーム部１ｂに貫通している。そして、コンタクト２がフレーム部１ｂ側からこの溝に圧入されてヘッダ部１ａに係止されている。複数のコンタクト２は、ヘッダ部１ａに形成される溝に僅かに陥没して係止されており、金属板からなるシャッター４がヘッダ部１ａを移動してもコンタクト２間を短絡しないようになっている。
【００５９】
図７において、フレーム部から延出するコンタクト２ａ・２ｂのリードが直角に折り曲げられて、このリードの先端部がプリント基板１ｐ（図２参照）にはんだ接合されることにより、リセプタクル１０をサイドタイプのコネクタとすることができる。フレーム部１ｂから延出するコンタクト２ａ・２ｂのリードの先端部がプリント基板１ｐにはんだ接合されることにより、リセプタクル１０をトップタイプのコネクタとすることができる。
【００６０】
図６及び図７において、ヘッダ部１ａの側面１１に係止される複数のコンタクト２ａのリード先端部のピッチＰと、ヘッダ部１ａの側面１２に係止される複数のコンタクト２ｂのリード先端部のピッチＰを半ピッチ（Ｐ／２）ずらすことにより、前記複数のリード先端部はスタッガード（Ｓｔａｇｇｅｒｅｄ）状に配置される。そして、リセプタクル１０のプリント基板１ｐ（図２参照）への実装面積を縮小することを可能としている。
【００６１】
図１において、シェル３は、導電性を有しており、導電性を有する金属からなることが好ましい。シェル３は、銅合金などの電気抵抗値の低い金属板で形成される。銅合金板は加工性もよく、銅合金板を折り曲げ加工又は打ち抜き加工して、第１開口３ａ及び第２開口３ｂを有する所望の略角筒状のシェル３を得ることができる。
【００６２】
図２に示されるように、シェル３がリセプタクル１０の外殻を構成することにより、リセプタクル１０がシールドされる。リセプタクル１０は、外部から内部導体（コンタクト）へ、そして、内部導体（コンタクト）からの電磁障害の放射を防ぐように設計されたコネクタである。シェル３の両翼に設けている一対の係止片３ｃ・３ｄ（図１参照）をプリント基板１ｐのグランドパターンに接地することにより、電磁障害の防止効果がより高まる。
【００６３】
図１において、シェル３の第１側面３１に一対の係止穴３ｅ・３ｆが設けられている。一方、フレーム部１ｂの一方の面に一対の係止突起１ｅ・１ｆが設けられている。一対の係止穴３ｅ・３ｆと一対の係止突起１ｅ・１ｆが嵌合することにより、シェル３とハウジング１が互いに決められた位置に確実に保持される（図２参照）。図１において、シェル３の第１側面３１には、相手側プラグに設けられる一対ロックアーム（図示せず）が嵌合して係止される一対の係止穴３ｇ・３ｈが設けられている。シェル３の第１側面３１に対向する第２側面３２には、シェル３がプリント基板１ｐの実装面に全面的に接触しないように、一対のボス３ｊ・３ｋが設けてられている（図９参照）。一対のボス３ｊ・３ｋを設けることにより、シェル３の第２側面３２に対向するプリント基板１ｐの実装面にパターンを形成することができる（図２参照）。
【００６４】
図２において、シェル３とハウジング１が組立られた状態において、ヘッダ部１ａの先端面は第１開口面３ａと面一となっている。一方、図３に示されるように、フレーム部１ｂの後面は、フレーム部１ｂの一部を除き、第２開口面３ｂと面一となっている。そして、フレーム部１ｂの後面及びシェル３の第２開口３ｂ側には、複数のコンタクト２のリード部が延出されて露出される切り欠き溝１３が設けられている（図３参照）。
【００６５】
図１において、リセプタクル１０は、シェル３内を相手側プラグ（図示せず）が挿抜される方向に移動可能なシャッター４を備えている。又、リセプタクル１０は、シャッター４の両翼に配置されて、シャッター４を第１開口３ａ側に付勢する一対の圧縮コイルばね５ａ・５ｂを備えている。なお、圧縮コイルばね５ａと圧縮コイルばね５ｂは同じものであるが、説明の便宜上、符号を付して区別した。
【００６６】
図１において、シャッター４は、導電性を有しており、導電性を有する金属からなることが好ましい。例えば、シャッター４は、シェル３と同じく銅合金などの電気抵抗値の低い金属板で形成されることが好ましいが、銅合金板に限定されるものではない。なお、シェル３も銅合金板に限定されるものではない。
【００６７】
図１に示されるように、シャッター４は平板状に形成されて、その外形は、シェル３の内壁の輪郭より僅かに小さい矩形の輪郭を形成している。シャッター４は、シャッター４の両翼に配置されている一対の圧縮コイルばね５ａ・５ｂに付勢されて、第１開口３ａをシェル３の内側から閉塞している（図２参照）。そして、人体の接触による電子機器内部の静電破壊を防止している。又、リセプタクル１０内部に塵埃が侵入することを防止している。
【００６８】
図２において、シャッター４は、第１開口３ａの両翼に延出する一対の案内片３５・３６、又は一対の第１折り曲げ片３７・３８によって、第１開口３ａからの飛び出しが阻止される。又、シャッター４は、これらの案内片３５・３６又は第１折り曲げ片３７・３８と接触されることにより、シャッター４とシェル３が導通され、第１開口３ａ及び第１開口３ａに隣接する４面がシールドされることにより、電磁障害の防止効果がより高まることになる。
【００６９】
図５において、シェル３は、第１開口３ａの両翼に延出して略直角に屈曲し、第１開口３ａ側から第２開口３ｂ側に至る一対の案内片３５・３６を有している（図４参照）。シャッター４は、一対の案内片３５・３６に摺動可能な一対の穴４ａ・４ｂが設けられている（図１参照）。そして、一対の案内片３５・３６は、シャッター４の一対の穴４ａ・４ｂ及び一対の圧縮コイルばね５ａ・５ｂの内径を案内する（図４参照）。
【００７０】
図３において、シェル３の一方の面は面積の大きい第１側面３１となっており、第１側面３１に対向するシェル３の他方の面は、第１側面３１と略同じ面積を有する第２側面３２となっている（図６参照）。第２側面３２は、プリント基板１ｐの実装面に対向配置される（図２参照）。そして、第１側面３１及び第２側面３２に隣接して面積の小さい第３及び第４側面３３・３４が形成される（図５参照）。例えば、図５に示されるように、シェル３は、所定の形状に展開された金属板が折り曲げ加工されて、第１から第４側面３１・３２・３３・３４で囲われた形状になっている。そして、第１開口３ａ及び第２開口３ｂは、長方形に開口される（図２及び図３参照）。
【００７１】
図５において、一対の案内片３５・３６は第１開口３ａの両翼に延出して略直角に屈曲している。例えば、シェル３を形づくる展開された金属板において、予め第３及び第４側面３３・３４にそれぞれＴ字状の折り曲げ片３５ａ・３６ａが形成されており、この一対のＴ字状の折り曲げ片３５ａ・３６ａが直角に折り曲げられて、第１開口３ａにおいて互いに対向している。図５において、一対の折り曲げ片３５ａ・３６ａは、第１開口面３ａと面一になっている。
【００７２】
そして、図４に示されるように、一対の案内片３５・３６は第１開口３ａ側から第２開口３ｂ側に至っている。図５において、Ｔ字状の折り曲げ片３５ａ・３６ａにおいて長い方の張り出し片３５ｂ・３６ｂが直角に折り曲げられて、シェル３内を第１開口３ａ側から第２開口３ｂ側に至るように配置されている。一対の案内片３５・３６は、シェル３内において互いに平行に配置されている。
【００７３】
次に、図面を参照して本発明によるリセプタクルの作用を説明する。
【００７４】
図１又は図４において、一対の案内片３５・３６に摺動可能な一対の穴４ａ・４ｂは、例えば、長方形に形成されている。又、シャッター４の中央部には、ヘッダ部１ａが出入り可能な例えば、矩形の穴４ｃが設けられている。案内片３５・３６の断面形状は長方形であり、案内片３５・３６の外形は一対の圧縮コイルばね５ａ・５ｂの内径より僅かに小さく形成されている。そして、一対の案内片３５・３６はその外形で圧縮コイルばね５ａ・５ｂの内径を案内する。
【００７５】
このように構成されたリセプタクル１０に相手側プラグを挿入すると、シャッター４は一対の案内片３５・３６に案内されて第２開口３ｂ側に平行移動する（図８参照）。一方、一対の圧縮コイルばね５ａ・５ｂは、圧縮されるが、その外形で圧縮コイルばね５ａ・５ｂの内径を案内しているので、従来のように圧縮コイルばねが変形圧縮されることが防止される。本発明は、低背化されたシャッター付きリセプタクルにおいて、圧縮コイルばねが正しく伸縮する構造を実現している。
【００７６】
一対の圧縮コイルばね５ａ・５ｂは、もちろん、導電性を有する金属体であり、一対の案内片３５・３６に常時、接触することにより、つまりシェル３に常時導通されることにより、従来のように圧縮コイルばねが絶縁されて静電気が帯電することがなくなるという効果もある。
【００７７】
本発明によるリセプタクルは、従来と比較して構成を簡易化している。例えば、特許文献１によるリセプタクルは、シャッターを導電体のシャッターと絶縁体のシャッターで構成しているのに対し、本発明によるリセプタクルは、シャッターを導電体のシャッターのみで構成している。又、本発明によるリセプタクルは、特許文献１によるリセプタクルで使用される一対のフレーム金具を不要としている。本発明によるリセプタクルは、一対の案内片などをシェルで一体に成形加工することにより、構成を簡易化している。
【００７８】
又、図５に示されるように、シェル３は、第１開口３ａ側にシャッター４に当接される一対の第１折り曲げ片３７・３８を有している。そして、一対の第１折り曲げ片３７・３８は、相手側プラグが特定されるキーとなっている
【００７９】
図５の実施形態において、キーとなる一対の第１折り曲げ片３７・３８は中央部に配置されているが、例えば、第１折り曲げ片の個数及び第１開口３ａに突出される位置を変えることにより、特定の相手側プラグ以外の相手側プラグが誤挿入されることを防止できる。又、この第１折り曲げ片は、一方の決まった向きに相手側プラグの挿入を許す極性キーであってもよい。
【００８０】
図３において、シェル３は、第２開口３ｂ側に対向する一対の第２折り曲げ片３ｍ・３ｎを有している。一対の第２折り曲げ片３ｍ・３ｎは、一対の案内片３５・３６の先端部を係止している（図４参照）。
【００８１】
例えば、図１に示されるように、予め、一対の第２折り曲げ片３ｍ・３ｎは第１側面３１から延出しており、シャッター４と、一対の圧縮コイルばね５ａ・５ｂ、及びコンタクト２付きハウジング１がシェル３に組み込まれた後に、一対の第２折り曲げ片３ｍ・３ｎが折り曲げられて、一対の案内片３５・３６の先端部に係止される（図４参照）。一対の第２折り曲げ片３ｍ・３ｎの先端部には係止穴が形成され、この係止穴に案内片３５・３６の先端部が嵌合して係止される（図３参照）。
【００８２】
一般に、圧縮コイルばねの組み込み作業は自動化が困難とされ、前述のように手作業で圧縮コイルばねが組み込み込まれるにあたり、組立作業を効率よくしている。又、この一対の第２折り曲げ片３ｍ・３ｎは、一対の案内片３５・３６を両端支持している機能を有している。そして、一対の案内片３５・３６の撓みを防止している。
【００８３】
又、リセプタクル１０は、プリント基板１ｐに実装される一対の係止片３ｃ・３ｄをシェル３の両翼に設けている（図３及び図９参照）。そして、一対の係止片３ｃ・３ｄは、プリント基板１ｐにはんだ接合されてよく、プリント基板１ｐに形成されるめっき付きスルーホール（図示せず）にプレスイン接続される無はんだ接続であってもよい。
【００８４】
本発明によるリセプタクルは、プリント基板１ｐの部品実装面と平行する方向から相手側プラグが結合される水平取付形のコネクタであってよく（図２参照）、ときに、プリント基板１ｐの部品実装面と直交する方向から相手側プラグが結合される垂直取付形のコネクタであってもよい。
【００８５】
本発明によるリセプタクルは、ハウジングと、複数のコンタクトと、シェルと、シャッターと、一対の圧縮コイルばねと、から構成され、これらの構成品及び構造が工夫されるることにより、従来に比較して構成が簡易化されている。又、シャッターは一対の案内片に案内されて移動するので、圧縮コイルばねが正しく伸縮する構造を実現している。
【図面の簡単な説明】
【００８６】
【図１】本発明によるリセプタクルの一実施形態を示す斜視分解組立図である。
【図２】前記実施形態によるリセプタクルの斜視外観図である。
【図３】前記実施形態によるリセプタクルの斜視外観図である。
【図４】前記実施形態によるリセプタクルの内部構成図である。
【図５】前記実施形態によるリセプタクルの正面図である。
【図６】前記実施形態によるリセプタクルの底面図である。
【図７】図５のＹ−Ｙ矢視断面図である。
【図８】図５のＺ−Ｚ矢視断面図である。
【図９】前記実施形態によるリセプタクルの斜視外観図である。
【図１０】従来技術によるハウジングを簡略化して図示したシャッター付きコネクタの斜視分解組立図である。
【符号の説明】
【００８７】
１    ハウジング
１ａ    ヘッダ部
１ｂ    フレーム部
２・２ａ・２ｂ    コンタクト
３    シェル
３ａ    第１開口
３ｂ    第２開口
４    シャッター
４ａ・４ｂ    一対の穴
１０    リセプタクル
３５・３６    一対の案内片
【図１】
2006331911.tif 000003
【図２】
2006331911.tif 000004
【図３】
2006331911.tif 000005
【図４】
2006331911.tif 000006
【図５】
2006331911.tif 000007
【図６】
2006331911.tif 000008
【図７】
2006331911.tif 000009
【図８】
2006331911.tif 000010
【図９】
2006331911.tif 000011
【図１０】
2006331911.tif 000012